(57)【要約】【課題】音響機能を具えた耳挿入式イヤホーン用耳カバーを提供する。【解決手段】主に１組の対応し組み合わされる耳カバーケース内に、弾性挟槽口を具えた挟台を組み合わせ、耳挿入式イヤホーンはそれぞれ該挟台の弾性挟槽口内に挟固され、該各耳カバーケース口縁位置には、それぞれ嵌入口を具え、耳に掛けられるフック環状片を組み合わせる。こうして使用時には耳挿入式イヤホーンと耳の穴は一定の距離を保持し、耳の穴に挿入する必要がなく、不快感を防止することができる。同時に耳カバーケースの包覆により音響機能を形成し、音の品質を向上させ、使用が便利である等の機能の他に、外界の雑音の干渉を低下させる効果を達成する。【選択図】図１
0003127364.tif 000002
【実用新案登録請求の範囲】
【請求項１】
主に１組の耳カバーケース、１組の挟台、１組のフック環状片を含み、
該耳カバーケースは対称を呈し対応し組み合わされ、該耳カバーケースの口縁にはそれぞれ凹凸を呈する組み合わせ縁を形成し、該２個の耳カバーケースは使用しない時には相互に対応させ組み合わせることができ、
該挟台はそれぞれ該耳カバーケース内面に組み合わせ、弾性材料により製造し、該各挟台には該耳挿入式イヤホーンのイヤホーンの耳柄と相互に挟固する弾性挟槽口を設置し、
該フック環状片はそれぞれ該各耳カバーケース口縁位置に組み合わせ、該各フック環状片の周縁部には該耳カバーケースの組み合わせ縁と組み合わされる組み合わせ槽を設置し、該各フック環状片はすべて耳に嵌入する嵌入口を具え、該嵌入口周縁にはフック縁を形成し、
上記設計により耳挿入式イヤホーンの２個のイヤホーン耳柄はそれぞれ該２個の挟台の弾性挟槽口内に挟固され、該フック環状片のフック縁により耳の上縁に掛けられ、こうして該耳カバーケース全体を掛け定位し、それぞれ２個の耳上を覆うことを特徴とする音響機能を具えた耳挿入式イヤホーン用耳カバー。
【請求項２】
請求項１記載の音響機能を具えた耳挿入式イヤホーン用耳カバーにおいて、前記挟台上にはそれぞれ定位孔を設置し、該耳カバーケース内面には該挟台上に設置する定位孔に挿入、定位する定位板を設置することを特徴とする音響機能を具えた耳挿入式イヤホーン用耳カバー。
【請求項３】
請求項１記載の音響機能を具えた耳挿入式イヤホーン用耳カバーにおいて、前記挟台が設置する弾性挟槽口はわずかに傾斜状を呈する設計で、これにより左右のイヤホーンが該弾性挟槽口に定位される時傾斜状を呈し、該イヤホーンはより正確に耳の穴に対応することを特徴とする音響機能を具えた耳挿入式イヤホーン用耳カバー。
【請求項４】
請求項１記載の音響機能を具えた耳挿入式イヤホーン用耳カバーにおいて、前記耳カバーケース外には装飾性を具えた保温外カバーを嵌合し、イヤホーンと保温の目的を兼備えることができることを特徴とする音響機能を具えた耳挿入式イヤホーン用耳カバー。
【請求項５】
主に１組の耳カバーケース、１組の挟台、１組のフック環状片、頭挟、嵌合部品を含み、
該耳カバーケースは対称を呈し対応し組み合わされ、該耳カバーケースの口縁にはそれぞれ凹凸を呈する組み合わせ縁を形成し、該２個の耳カバーケースは使用しない時には相互に対応させ組み合わせることができ、該各耳カバーケース上にはそれぞれ嵌合孔を設置し、
該挟台はそれぞれ該耳カバーケース内面に組み合わせ、弾性材料により製造し、該各挟台には該耳挿入式イヤホーンのイヤホーンの耳柄と相互に挟固する弾性挟槽口を設置し、
該フック環状片はそれぞれ該各耳カバーケース口縁位置に組み合わせ、該各フック環状片の周縁部には該耳カバーケースの組み合わせ縁と組み合わされる組み合わせ槽を設置し、該各フック環状片はすべて耳に嵌入する嵌入口を具え、該嵌入口周縁にはフック縁を形成し、
該頭挟は両端にそれぞれ孔を設置し、
該嵌合部品は該頭挟両端の孔を貫通後、さらに該各耳カバーケース上に設置する嵌合孔に嵌入し、
上記設計により耳挿入式イヤホーンの２個のイヤホーン耳柄はそれぞれ該２個の挟台の弾性挟槽口内に挟固され、該フック環状片のフック縁により耳の上縁に掛けられ、こうして該耳カバーケース全体を掛け定位しそれぞれ２個の耳上を覆い、しかも使用しない時には、該嵌合部品は該各嵌合孔位置に入れ、該頭挟に対応する時には、該嵌合部品はそれぞれ該挟両端の孔を貫通後、さらに該各耳カバーケース上に設置する嵌合孔に嵌入し、別種のヘッドホーン式イヤホーンの形態を形成することを特徴とする音響機能を具えた耳挿入式イヤホーン用耳カバー。
【請求項６】
請求項５記載の音響機能を具えた耳挿入式イヤホーン用耳カバーにおいて、前記挟台上にはそれぞれ定位孔を設置し、該耳カバーケース内面には該挟台上に設置する定位孔に挿入、定位する定位板を設置することを特徴とする音響機能を具えた耳挿入式イヤホーン用耳カバー。
【請求項７】
請求項５記載の音響機能を具えた耳挿入式イヤホーン用耳カバーにおいて、前記挟台が設置する弾性挟槽口はわずかに傾斜状を呈する設計で、これにより左右のイヤホーンが該弾性挟槽口に定位される時傾斜状を呈し、該イヤホーンはより正確に耳の穴に対応することを特徴とする音響機能を具えた耳挿入式イヤホーン用耳カバー。
【請求項８】
請求項５記載の音響機能を具えた耳挿入式イヤホーン用耳カバーにおいて、前記耳カバーケース外には装飾性を具えた保温外カバーを嵌合し、イヤホーンと保温の目的を兼備えることができることを特徴とする音響機能を具えた耳挿入式イヤホーン用耳カバー。
【考案の詳細な説明】
【技術分野】
【０００１】
本考案は一種の音響機能を具えた耳挿入式イヤホーン用耳カバーに関する。特に一種の１組の対応し組み合わされる耳カバーケース内に、弾性挟槽口を具えた挟台をそれぞれ組み合わせ、耳挿入式イヤホーンはそれぞれ該挟台の弾性挟槽口内に挟固され、該各耳カバーケース口縁位置にはそれぞれ嵌入口を具え、耳に掛けられるフック環状片を組み合わせ、こうして使用時には耳挿入式イヤホーンと耳の穴は一定の距離を保持し、耳の穴に挿入する必要がなく、不快感を防止することができる。同時に耳カバーケースの包覆により音響機能を形成し、音の品質を向上させ、使用が便利である等の機能の他に、外界の雑音の干渉を低下させる効果を達成する音響機能を具えた耳挿入式イヤホーン用耳カバーに係る。
【背景技術】
【０００２】
現在市販されているイヤホーンは耳挿入式イヤホーン、耳掛け式イヤホーン、ヘッドホーン式イヤホーンのおよそ３種に分けられる。
しかしイヤホーンの使用では、耳挿入式イヤホーンを使用する時には、耳の穴に挿入する必要があるため、長時間使用していると耳が不快感を感じ、しかも疼痛を感じた経験は多くの人が持つものである。一方、耳掛け式イヤホーンにはこの種の欠点はないが、耳との間に間隙があるため、音響効果は低下し、外界の干渉音の影響を受け、音響効果を正常に発揮することができない。またヘッドホーン式イヤホーンは耳を完全に覆うオールカバー式のイヤホーンであるが、その設計には耳掛け式イヤホーンと同様の欠点がある。しかも、ヘッドホーン式イヤホーンは高価な高いオールカバー式、或いは非オールカバー式共に、そのスピーカーを交換することができず、携帯にも不便である。
【考案の開示】
【考案が解決しようとする課題】
【０００３】
本考案は上記構造の問題点を解決した音響機能を具えた耳挿入式イヤホーン用耳カバーを提供するものである。
【０００４】
本考案の主な目的は、１組の耳カバーケースに設置する弾性挟槽口を具えた挟台により、耳挿入式イヤホーンはそれぞれ該各挟台の弾性挟槽口内に挟固され、こうして使用時には耳挿入式イヤホーンは耳の穴と一定の距離を保持し、不快感を防止可能でる。
【０００５】
本考案の次の目的は、耳カバーケースの包覆により、音響機能を形成し、音響品質を向上可能で、使用が便利であるなどの機能の他に、外界の雑音による干渉を低下させる効果を具える。
【０００６】
本考案のもう一つの目的は、弾性挟槽口を具えた挟台により、必要に応じて異なる規格ブランドの耳掛け式イヤホーンに交換することもでき、使用の制限がないことを特徴とする音響機能を具えた耳挿入式イヤホーン用耳カバーを提供する。
【課題を解決するための手段】
【０００７】
請求項１の考案は、主に１組の耳カバーケース、１組の挟台、１組のフック環状片を含み、
該耳カバーケースは対称を呈し対応し組み合わされ、該耳カバーケースの口縁にはそれぞれ凹凸を呈する組み合わせ縁を形成し、該２個の耳カバーケースは使用しない時には相互に対応させ組み合わせることができ、
該挟台はそれぞれ該耳カバーケース内面に組み合わせ、弾性材料により製造し、該各挟台には該耳挿入式イヤホーンのイヤホーンの耳柄と相互に挟固する弾性挟槽口を設置し、
該フック環状片はそれぞれ該各耳カバーケース口縁位置に組み合わせ、該各フック環状片の周縁部には該耳カバーケースの組み合わせ縁と組み合わされる組み合わせ槽を設置し、該各フック環状片はすべて耳に嵌入する嵌入口を具え、該嵌入口周縁にはフック縁を形成し、
上記設計により耳挿入式イヤホーンの２個のイヤホーン耳柄はそれぞれ該２個の挟台の弾性挟槽口内に挟固され、該フック環状片のフック縁により耳の上縁に掛けられ、こうして該耳カバーケース全体を掛け定位し、それぞれ２個の耳上を覆うことを特徴とする音響機能を具えた耳挿入式イヤホーン用耳カバーとしている。
請求項２の考案は、請求項１記載の音響機能を具えた耳挿入式イヤホーン用耳カバーにおいて、前記挟台上にはそれぞれ定位孔を設置し、該耳カバーケース内面には該挟台上に設置する定位孔に挿入、定位する定位板を設置することを特徴とする音響機能を具えた耳挿入式イヤホーン用耳カバーとしている。
請求項３の考案は、請求項１記載の音響機能を具えた耳挿入式イヤホーン用耳カバーにおいて、前記挟台が設置する弾性挟槽口はわずかに傾斜状を呈する設計で、これにより左右のイヤホーンが該弾性挟槽口に定位される時傾斜状を呈し、該イヤホーンはより正確に耳の穴に対応することを特徴とする音響機能を具えた耳挿入式イヤホーン用耳カバーとしている。
請求項４の考案は、請求項１記載の音響機能を具えた耳挿入式イヤホーン用耳カバーにおいて、前記耳カバーケース外には装飾性を具えた保温外カバーを嵌合し、イヤホーンと保温の目的を兼備えることができることを特徴とする音響機能を具えた耳挿入式イヤホーン用耳カバーとしている。
【０００８】
請求項５の考案は、主に１組の耳カバーケース、１組の挟台、１組のフック環状片、頭挟、嵌合部品を含み、
該耳カバーケースは対称を呈し対応し組み合わされ、該耳カバーケースの口縁にはそれぞれ凹凸を呈する組み合わせ縁を形成し、該２個の耳カバーケースは使用しない時には相互に対応させ組み合わせることができ、該各耳カバーケース上にはそれぞれ嵌合孔を設置し、
該挟台はそれぞれ該耳カバーケース内面に組み合わせ、弾性材料により製造し、該各挟台には該耳挿入式イヤホーンのイヤホーンの耳柄と相互に挟固する弾性挟槽口を設置し、
該フック環状片はそれぞれ該各耳カバーケース口縁位置に組み合わせ、該各フック環状片の周縁部には該耳カバーケースの組み合わせ縁と組み合わされる組み合わせ槽を設置し、該各フック環状片はすべて耳に嵌入する嵌入口を具え、該嵌入口周縁にはフック縁を形成し、
該頭挟は両端にそれぞれ孔を設置し、
該嵌合部品は該頭挟両端の孔を貫通後、さらに該各耳カバーケース上に設置する嵌合孔に嵌入し、
上記設計により耳挿入式イヤホーンの２個のイヤホーン耳柄はそれぞれ該２個の挟台の弾性挟槽口内に挟固され、該フック環状片のフック縁により耳の上縁に掛けられ、こうして該耳カバーケース全体を掛け定位しそれぞれ２個の耳上を覆い、しかも使用しない時には、該嵌合部品は該各嵌合孔位置に入れ、該頭挟に対応する時には、該嵌合部品はそれぞれ該挟両端の孔を貫通後、さらに該各耳カバーケース上に設置する嵌合孔に嵌入し、別種のヘッドホーン式イヤホーンの形態を形成することを特徴とする音響機能を具えた耳挿入式イヤホーン用耳カバーとしている。
請求項６の考案は、請求項５記載の音響機能を具えた耳挿入式イヤホーン用耳カバーにおいて、前記挟台上にはそれぞれ定位孔を設置し、該耳カバーケース内面には該挟台上に設置する定位孔に挿入、定位する定位板を設置することを特徴とする音響機能を具えた耳挿入式イヤホーン用耳カバーとしている。
請求項７の考案は、請求項５記載の音響機能を具えた耳挿入式イヤホーン用耳カバーにおいて、前記挟台が設置する弾性挟槽口はわずかに傾斜状を呈する設計で、これにより左右のイヤホーンが該弾性挟槽口に定位される時傾斜状を呈し、該イヤホーンはより正確に耳の穴に対応することを特徴とする音響機能を具えた耳挿入式イヤホーン用耳カバーとしている。
請求項８の考案は、請求項５記載の音響機能を具えた耳挿入式イヤホーン用耳カバーにおいて、前記耳カバーケース外には装飾性を具えた保温外カバーを嵌合し、イヤホーンと保温の目的を兼備えることができることを特徴とする音響機能を具えた耳挿入式イヤホーン用耳カバーとしている。
【考案の効果】
【０００９】
本考案は快適な装用感を提供し、同時に耳カバーケースの包覆により音響を形成し、音響の品質を向上させ、また分解し収納することができるため使用が便利である等の機能を形成し、さらに外界の雑音の干渉を低下させる効果を達成する。
【考案を実施するための最良の形態】
【００１０】
図１、２に示すように、本考案音響機能を具えた耳挿入式イヤホーン用耳カバーは主に、１組の対称を呈し、対応し組み合わされる耳カバーケース１内面に、弾性挟槽口１２１を具えた挟台１２を組み合わせる。該弾性挟槽口１２１により該耳挿入式イヤホーンの２個のイヤホーン２耳柄２１をそれぞれ該２個の挟台１２の弾性挟槽口１２１内において挟固し、同時に該各耳カバーケース１口縁位置において、それぞれ１個のフック環状片１６を組み合わせる。該各フック環状片１６は耳Aに嵌入する嵌入口１６１を具え、該各フック環状片１６のフック縁１６２により耳A上縁に掛けられる。こうして該耳カバーケース１全体を掛け定位し、それぞれ２個の耳A上を覆う。
【００１１】
上記設計により、使用時には該耳挿入式イヤホーンのイヤホーン２部と耳の穴B間は一定の距離を隔てるため、不快感を防止することができる。また該各挟台１２上にはすべて該耳カバーケース１内面に形成する定位板１１を挿入、定位する定位孔１２２を設置し、しかも該各挟台１２が設置する弾性挟槽口１２１はわずかに傾斜状の設計を呈する。これにより該左右のイヤホーン２が該弾性挟槽口１２１に定位される時傾斜状を呈し、該イヤホーン２はより正確に耳の穴Bに対応する。
しかも該フック環状片１６はシリコンゴムなどの材料により製造するため、耳Aに掛けても快適である。
さらに該耳カバーケース１の口縁にはそれぞれ凹凸を呈する組み合わせ縁１５を形成するため、該２個の耳カバーケース１は使用しない時には相互に対応させ組み合わせることができる。また該各耳カバーケース１の下方には、欠口１５１を設置し、イヤホーンコード２２を穿通させることができ、同時に該フック環状片１６周縁部には該耳カバーケース１の組み合わせ縁１５と組み合わせ可能な組み合わせ槽１６３を設置する。こうして該耳カバーケース１と組み合わせ定位し、また分解することができる。
【００１２】
さらに本考案は頭挟４を合わせて使用することができる。それは主に、該耳カバーケース１上にそれぞれ嵌合孔１３を設置し、該各嵌合孔１３位置に嵌合部品１４を組み合わせる。
使用時には、該嵌合部品１４は該各嵌合孔１３位置に嵌合する。
該頭挟４に組み合わせる時には、該嵌合部品１４によりそれぞれ該頭挟４両端の孔４１を貫通後、さらに該各耳カバーケース１の嵌合孔１３に嵌入し、別種のヘッドホーン式イヤホーンの形態を形成する(図４参照)。
しかも本考案は使用しない時には、分解し、該２個の耳カバーケース１を相互に対応させ組み合わせ、該耳挿入式イヤホーンを該耳カバーケース１内に収納し、さらに袋５(或いは箱)中に収納し、携帯の便を図ることができる(図５参照)。
さらに気候が寒冷な地方或いは冬季には、該各耳カバーケース１外に装飾性を具えた保温外カバー３を嵌合し、イヤホーンと保温の目的を兼備えることができる(図３参照)。
【図面の簡単な説明】
【００１３】
【図１】本考案の立体分解図である。
【図２】本考案実際使用時の実施例断面図である。
【図３】本考案耳カバーケース外に保温外カバーを嵌合する実施例の立体分解図である。
【図４】本考案の頭挟を組み合わせたヘッドホーン式イヤホーンを形成する実施例の立体分解図である。
【図５】本考案を分解し袋(箱)内に収納する実施例図である。
【符号の説明】
【００１４】
１  耳カバーケース
１１  定位板
１２  挟台
１２１  弾性挟槽口
１２２  定位孔
１３  嵌合孔
１４  嵌合部品
１５  組み合わせ縁
１５１  欠口
１６  フック環状片
１６１  嵌入口
１６２  フック縁
１６３  組み合わせ槽
２  イヤホーン
２１  耳柄
２２  イヤホーンコード
３  保温外カバー
４  頭挟
４１  孔
５  袋
A  耳
B  耳の穴
【図１】
0003127364.tif 000003
【図２】
0003127364.tif 000004
【図３】
0003127364.tif 000005
【図４】
0003127364.tif 000006
【図５】
0003127364.tif 000007